(57)【特許請求の範囲】
【請求項１】
遊技球が転動することが可能な遊技盤と、
前記遊技盤に発射する遊技球を貯留する第１の球受け皿と、
前記第１の球受け皿内から溢れた遊技球を受ける第２の球受け皿と、
前記遊技盤に設けられ、遊技球が入賞することが可能な入賞口と、
遊技球が前記入賞口に入賞することに基づいて遊技球を賞品として払出す球払出し装置と、
前記球払出し装置から払出された遊技球が進入する空間状の球払出し室を有する球払出しケースと、
前記球払出しケースを支持するものであって、前記球払出しケースが着脱可能に挿入されるケース挿入室を有する支持枠と、
前記球払出しケースに前記球払出し室より低所に位置して設けられ、前記球払出しケースの球払出し室内に進入した遊技球を前記第１の球受け皿に供給するものであって入口が前記球払出し室内に接続されていると共に出口が前記第１の球受け皿内に接続された第１の球受け皿通路と、
前記球払出しケースに前記球払出し室より低所に位置して設けられ、遊技球が前記第１の球受け皿内から溢れて前記第１の球受け皿通路内の入口まで充填された第１の満杯状態で前記球払出しケースの球払出し室内に進入した遊技球を前記第２の球受け皿内に供給するものであって入口が前記球払出し室内に接続されていると共に出口が前記第２の球受け皿内に接続された第２の球受け皿通路と、
遊技球が前記第２の球受け皿内から溢れて前記第２の球受け皿通路内の予め決められた領域まで充填された第２の満杯状態であるか否かを検出するものであって、前記第２の球受け皿通路内の予め決められた領域内に遊技球が存在することを前記球払出しケースの外部から検出する非接触形の球センサと、
前記支持枠のケース挿入室の壁面に設けられ、前記球センサが前記ケース挿入室の内部に出張らないように収納された凹状のセンサ収納室を備えたことを特徴とするパチンコ遊技機。  
【発明の詳細な説明】
【技術分野】
【０００１】
本発明は遊技球が球受け皿内から溢れた満杯状態であることを検出する球センサを備えたパチンコ遊技機に関する。
【背景技術】
【０００２】
パチンコ遊技機には遊技球が入賞口に入賞することに基づいて球払出し装置から遊技球を賞品として払出す構成のものがある。この球払出し装置には球払出しケースが接続されており、球払出しケースの内部には球払出し室と第１の球受け皿通路と第２の球受け皿通路が形成されている。球払出し室は球払出し装置から払出された遊技球が進入するものであり、球払出し室と第１の球受け皿通路と第２の球受け皿通路のうちで最も高所に配置されている。第１の球受け皿通路は球払出し室内に進入した遊技球を第１の球受け皿に供給するものである。この第１の球受け皿は遊技盤に発射する遊技球を貯留するものであり、第１の球受け皿通路の入口は球払出し室内に接続され、第１の球受け皿通路の出口は第１の球受け皿内に接続されている。第２の球受け皿通路は遊技球が第１の球受け皿内から溢れて第１の球受け皿通路内の入口まで充填された第１の満杯状態で球払出し室内に進入した遊技球を第２の球受け皿内に供給するものであり、第２の球受け皿通路の入口は球払出し室内に接続され、第２の球受け皿通路の出口は第２の球受け皿内に接続されている。
【特許文献１】特開平１１−２２１３２１号公報
【発明の開示】
【発明が解決しようとする課題】
【０００３】
従来のパチンコ遊技機の場合には球払出しケースに球センサが装着されている。この球センサは遊技球が第２の球受け皿内から溢れて第２の球受け皿通路内の予め決められた領域まで充填された第２の満杯状態であるか否かを検出するものであり、球センサの配線は球払出しケースを着脱可能に支持する支持枠の基板に電気的および機械的に接続されている。このため、球払出しケースを支持枠から取外す場合に球センサの配線を基板から取外し、球センサの配線の移動の自由度を高める面倒な作業を行う必要がある。
【０００４】
本発明は上記事情に鑑みてなされたものであり、球払出しケースを球センサの配線に邪魔されることなく支持枠から簡単に取外すことができるパチンコ遊技機を提供することを目的とするものである。
【課題を解決するための手段】
【０００５】
本発明のパチンコ遊技機は［１］遊技盤〜［１１］センサ収納室を備えたところに特徴を有する。
［１］遊技盤は遊技球が転動することが可能なものである。
［２］第１の球受け皿は遊技盤に発射する遊技球を貯留するものであり、図１の上皿８は第１の球受け皿に相当する。
［３］第２の球受け皿は第１の球受け皿内から溢れた遊技球を受けるものであり、図２の下皿１１は第２の球受け皿に相当する。
［４］入賞口は遊技盤に設けられたものであり、遊技球が入賞することが可能なものである。
［５］球払出し装置は遊技球が入賞口に入賞することに基づいて遊技球を賞品として払出すものであり、図８の符号１２１は球払出し装置に相当する。
［６］球払出しケースは球払出し装置から払出された遊技球が進入する空間状の球払出し室を有するものである。図１７の符号１３０は球払出しケースに相当するものであり、図２２の右振分け室１５３および図２３の左振分け室１５４のそれぞれは球払出しケース１３０の球振分け室に相当する。
［７］支持枠は球払出しケースを支持するものであり、球払出しケースが着脱可能に挿入されるケース挿入室を有するものである。図１７の下枠１６は支持枠に相当するものであり、図１５の符号１２０は支持枠１６のケース挿入室に相当するものである。
［８］第１の球受け皿通路は球払出しケースに球払出し室より低所に位置して設けられたものである。この第１の球受け皿通路は球払出しケースの球払出し室内に進入した遊技球を第１の球受け皿に供給するものであり、第１の球受け皿通路の入口は球払出し室内に接続され、第１の球受け皿通路の出口は第１の球受け皿内に接続されている。図２０の右上皿通路１５５および図２０の左上皿通路１５６のそれぞれは第１の球受け皿通路に相当するものである。
［９］第２の球受け皿通路は球払出しケースに球払出し室より低所に位置して設けられたものである。この第２の球受け皿通路は遊技球が第１の球受け皿内から溢れて第１の球受け皿通路内の入口まで充填された第１の満杯状態で球払出しケースの球払出し室内に進入した遊技球を第２の球受け皿内に供給するものであり、第２の球受け皿通路の入口は球払出し室内に接続され、第２の球受け皿通路の出口は第２の球受け皿内に接続されている。図２０の右下皿通路１５７および図２０の左下皿通路１５８のそれぞれは第２の球受け皿通路に相当するものである。
［１０］球センサは遊技球が第２の球受け皿内から溢れて第２の球受け皿通路内の予め決められた領域まで充填された第２の満杯状態であるか否かを検出するものであり、第２の球受け皿通路内の予め決められた領域内に遊技球が存在することを球払出しケースの外部から検出する非接触形のものである。このため、球払出しケースを支持枠のケース挿入室内から抜取る場合に球センサの配線を基板から取外すことに基づいて球センサの配線の移動の自由度を高める面倒な作業を行う必要がなくなる。図１９の下皿スイッチ１７４は球センサに相当するものである。
［１１］センサ収納室は支持枠のケース挿入室の壁面に設けられたものであり、球センサがケース挿入室の内部に出張らないように収納された凹状をなすものである。このため、球払出しケースを支持枠のケース挿入室内から抜取る場合の球払出しケースの移動領域の外部に球センサが配置されるので、球払出しケースを球センサに邪魔されることなくケース挿入室内から簡単に抜取ることができる。図１９のスイッチ収納室１７３はセンサ収納室に相当するものである。
【発明を実施するための最良の形態】
【０００６】
【実施例１】
【０００７】
外枠１は、図１に示すように、複数の木材を前後面が開口する四角筒状に相互に接合することから構成されたものである。この外枠１の左側部には、図２に示すように、内枠２が上下方向へ指向する軸３を中心に回動操作可能に装着されており、内枠２の下端部には垂直な台板４が形成されている。この内枠２は外枠１の前面を覆う閉鎖状態および外枠１の前面を開放する開放状態相互間で軸３を中心に回動操作可能にされたものであり、内枠ロック機構を介して閉鎖状態にロックされている。
【０００８】
内枠２には、図１に示すように、内枠２の前方に位置して前枠５が装着されている。この前枠５は内枠２の前面を閉鎖する閉鎖状態および内枠２の前面を開放する開放状態相互間で内枠２と共通の軸３を中心に回動操作可能にされたものであり、前枠ロック機構を介して閉鎖状態にロックされている。この前枠５は円形状の貫通孔６を有するものであり、貫通孔６の内周面には透明な窓７が固定されている。この前枠５には窓７の下方に位置して上皿８が固定されている。この上皿８は上面が開口する容器状をなすものであり、内枠２の台板４には、図２に示すように、上皿８の後方に位置して払出口９が形成されている。この払出口９は遊技球を上皿８内に賞品として払出すものであり、払出口９から上皿８内に払出された遊技球は上皿８内に貯留される。
【０００９】
内枠２には、図１に示すように、前枠５の下方に位置して横長な長方形状の下皿板１０が固定されており、下皿板１０には下皿１１が固定されている。この下皿１１は上皿８内から溢れた遊技球を貯留するものであり、上面が開口する容器状をなしている。この下皿板１０には下皿１１の右方に位置してハンドル台１２が固定されており、ハンドル台１２には発射ハンドル１３が装着されている。この発射ハンドル１３は前後方向へ指向する軸を中心に回動操作可能にされたものであり、発射ハンドル１３が予め決められた初期位置から図１の時計回り方向へ回動操作されたときには発射ソレノイドに駆動電源が与えられる。この発射ソレノイドの出力軸には打球槌が連結されている。これら発射ソレノイドおよび打球槌のそれぞれは内枠２の台板４に装着されたものであり、発射ソレノイドは駆動電源が与えられることに基づいて打球槌を待機位置および打球位置相互間で往復的に移動操作する。この打球槌は上皿８内から遊技球が１個単位で移送されるものであり、上皿８内から打球槌に移送された遊技球は打球槌が待機位置から打球位置へ移動することに基づいて打球槌によって叩かれる。
【００１０】
内枠２には、図２に示すように、台板４の上方に位置して遊技盤収納部１４が形成されている。この遊技盤収納部１４は前面および後面のそれぞれが開口する角筒状をなすものであり、前枠５の後方に配置されている。この遊技盤収納部１４の内周面には垂直な板状の遊技盤が装着されている。この遊技盤は複数の障害釘が固定されたものであり、前枠５の閉鎖状態で前方から窓７を通して視覚的に認識可能にされている。この遊技盤は打球槌から遊技球が発射されるものであり、打球槌から遊技盤に発射された遊技球は遊技盤の障害釘に当りながら遊技盤に沿って落下する。
【００１１】
内枠２には、図３に示すように、内枠２の後方に位置してメインセット１５が装着されている。このメインセット１５は左右方向へ指向する上枠と上下方向へ指向する左枠と上下方向へ指向する右枠と左右方向へ指向する下枠１６を相互に接合してなる四角枠状をなすものであり、左枠の垂直な軸を中心に内枠２に対して回動可能にされている。このメインセット１５は内枠２に後方から対向する閉鎖状態および閉鎖状態に比べて後方へ移動した開放状態相互間で回動操作されるものであり、ストッパを介して閉鎖状態にロックされている。このストッパは内枠２に内枠２の後方に位置して装着された係合片からなるものであり、メインセット１５の閉鎖状態でメインセット１５を回動不能に後方から押えるようにメインセット１５に係合するロック状態およびメインセット１５の閉鎖状態でメインセット１５から外れることに基づいてメインセット１５の回動を許容するロック解除状態相互間で前後方向へ指向する軸を中心に回動操作可能にされている。
【００１２】
メインセット１５の下枠１６は、図３に示すように、メインセット１５の閉鎖状態で内枠２の台板４に後方から対向するものであり、メインセット１５の下枠１６には、図１４に示すように、横長な長方形状の基板収納室１７が形成されている。この基板収納室１７は後面が開口するものであり、左右方向へ指向する水平な上板と左右方向へ指向する水平な下板と上下方向へ指向する垂直な左側板と上下方向へ指向する垂直な右側板と前板を有している。この基板収納室１７内には、図３に示すように、横長な長方形状の基板ボックス１８が装着されている。この基板ボックス１８は基板収納室１７内に後面から挿入されたものであり、基板ボックス１８内にはプリント配線基板が収納されている。このプリント配線基板は制御基板に相当するものである。
【００１３】
遊技盤には複数の入賞口が固定されている。これら複数の入賞口のそれぞれは遊技盤に沿って落下する遊技球が入賞することが可能なものであり、複数の入賞口内のそれぞれには入賞口センサが装着されている。これら複数の入賞口センサのそれぞれは遊技球が入賞口内に入賞したことを検出して入賞信号を出力する近接スイッチからなるものであり、複数の入賞口センサのそれぞれは共通のメイン制御回路に接続されている。このメイン制御回路はマイクロコンピュータを主体に構成されたものであり、入賞信号を検出することに基づいて遊技球が入賞口に入賞したと判断する。このメイン制御回路にはマイクロコンピュータを主体に構成された賞球制御回路が接続されている。この賞球制御回路は基板ボックス１８内のプリント配線基板に搭載されたものであり、メイン制御回路は遊技球が入賞口に入賞したと判断することに基づいて賞球制御回路に賞球コマンドを送信する。
【００１４】
メインセット１５には、図３に示すように、タンクユニット２０が固定されている。このタンクユニット２０はパチンコホールの球補給装置から供給される遊技球を貯留する貯球機能および遊技球が遊技盤の入賞口に入賞することに基づいて貯留球を上皿８内に賞品として払出す払出し機能の双方を有するものであり、次のように構成されている。
【００１５】
メインセット１５には、図３に示すように、遊技盤収納部１４の上方に位置してユニットベース２１が固定されている。このユニットベース２１はメインセット１５の上枠として機能するものであり、非導電性の合成樹脂を材料に成形されている。このユニットベース２１には球受けプレート２２が一体形成されている。この球受けプレート２２は、図４に示すように、水平な板状をなすものであり、球受けプレート２２の左端部には球誘導プレート２３が接続されている。この球誘導プレート２３はユニットベース２１に一体形成されたものであり、左から右に向けて下降する板状をなしている。この球誘導プレート２３は球補給装置の球補給口から落下する遊技球を受けるものであり、球補給装置の球補給口の下方に配置されている。この球誘導プレート２３は遊技球を左から右に向けて転がすことに基づいて球受けプレート２２に供給するものであり、ユニットベース２１には球誘導プレート２３の左端部に位置して球止め壁２４が一体形成されている。この球止め壁２４は球誘導プレート２３から上方に突出するものであり、遊技球が球誘導プレート２３の左端部から逸脱することを防止する。
【００１６】
ユニットベース２１には、図４に示すように、球タンク２５が一体形成されている。この球タンク２５は遊技球を転がすタンクレールを兼用するものであり、上面および左側面のそれぞれが開口する容器状をなしている。この球タンク２５は前板２６と後板２７と右側板２８と底板２９を有している。この球タンク２５の前板２６には、図５に示すように、球受けプレート２２および球誘導プレート２３の双方の前方に位置して開口部３１が形成されており、球補給装置の球補給口から落下した遊技球は球受けプレート２２または球誘導プレート２３から開口部３１を通して球タンク２５内に供給される。この球タンク２５の底板２９の前後方向の幅寸法Ｗは、図４に示すように、左右方向の全域で遊技球の直径寸法の２倍程度に設定されており、遊技球は球タンク２５の底板２９上に前後方向に２列に貯留される。この球タンク２５の底板２９は右から左に向けて下降する傾斜状をなしており、球タンク２５内の遊技球は前後方向に２列に並んだまま底板２９の傾斜に沿って右から左に向けて転動可能にされている。
【００１７】
球タンク２５の底板２９には、図４に示すように、複数の前排出孔３２と複数の中排出孔３３と複数の後排出孔３４のそれぞれが形成されている。これら複数の前排出孔３２〜複数の後排出孔３４のそれぞれは球タンク２５内の遊技球から脱落した塵埃を球タンク２５の外部に落下させるものであり、複数の前排出孔３２〜複数の後排出孔３４のそれぞれの前後方向の幅寸法は遊技球の直径寸法に比べて小さく設定されている。これら複数の前排出孔３２のそれぞれは球タンク２５の前板２６に接して配置され、複数の後排出孔３４のそれぞれは球タンク２５の後板２７に接して配置され、複数の中排出孔３３のそれぞれは球タンク２５の底板２９の前後方向の中心線ＣＬに沿って配置されており、球タンク２５内の前列の遊技球および後列の遊技球のそれぞれは前排出孔３２内〜後排出孔３４内のいずれにも嵌ることなく底板２９に接触しながら転動する。
【００１８】
球タンク２５の左端部には、図６に示すように、機構部ケース３５が一体形成されている。この機構部ケース３５は上面および下面のそれぞれが開口する垂直な四角筒状をなすものであり、球タンク２５の内部空間は球タンク２５の左側面を介して機構部ケース３５の内部空間に接続されている。この球タンク２５の底板２９には機構部ケース３５側に位置して開口部３６が形成されており、球タンク２５の底板２９は開口部３６の右端面より左方の全領域が開口している。この球タンク２５の底板２９には、図４に示すように、球仕切板３７が一体形成されている。この球仕切板３７は底板２９に対して上方へ突出する垂直な板状をなすものであり、底板２９の中心線ＣＬに沿って配置されている。この球仕切板３７の右端部は底板２９のうち前排出孔３２〜後排出孔３４がいずれも形成されていない非形成部分に設定されており、球仕切板３７の左端部は、図６に示すように、開口部３６内に設定されている。
【００１９】
球仕切板３７の左端部には、図６に示すように、前球仕切板３８および後球仕切板３９のそれぞれが一体形成されている。これら前球仕切板３８および後球仕切板３９のそれぞれは上方へ指向する垂直な板状をなすものであり、前球仕切板３８および後球仕切板３９相互間には隙間が形成されている。これら前球仕切板３８および後球仕切板３９は底板２９の中心線ＣＬを挟んで前後方向に相互に対向配置されたものであり、前球仕切板３８は球仕切板３７より前方に配置され、後球仕切板３９は球仕切板３７より後方に配置されている。これら前球仕切板３８および後球仕切板３９は球仕切板３７の左端部から二股状に分岐するものであり、前球仕切板３８の左端部および後球仕切板３９の左端部相互間は前後方向へ指向する連結壁４０を介して連結されている。
【００２０】
球タンク２５の内部には、図４に示すように、前整列路４１が形成されている。この前整列路４１は球タンク２５の前板２６および球仕切板３７相互間の空間部を称するものであり、前整列路４１の左端部には、図６に示すように、前延長整列路４１ａが接続されている。この前延長整列路４１ａは球タンク２５の前板２６および前球仕切板３８相互間の空間部を称するものであり、前整列路４１より左方に配置されている。これら前整列路４１および前延長整列路４１ａのそれぞれの前後方向の幅寸法は１個の遊技球が転動することが可能な大きさに設定されており、球タンク２５内の遊技球は前整列路４１内および前延長整列路４１ａ内のそれぞれを前後方向に一列で転動する。
【００２１】
球タンク２５の内部には、図４に示すように、前整列路４１に対して平行な後整列路４２が形成されている。この後整列路４２は球タンク２５の後板２７および球仕切板３７相互間の空間部を称するものであり、後整列路４２の左端部には、図６に示すように、後延長整列路４２ａが接続されている。この後延長整列路４２ａは球タンク２５の後板２７および後球仕切板３９相互間の空間部を称するものであり、後整列路４２より左方に配置されている。これら後整列路４２および後延長整列路４２ａのそれぞれの前後方向の幅寸法は１個の遊技球が転動することが可能な大きさに設定されており、球タンク２５内の遊技球は後整列路４２内および後延長整列路４２ａ内のそれぞれを前後方向に一列で転動する。
【００２２】
球タンク２５の底板２９には、図６に示すように、開口部３６の前方に位置して前ガイド部４３が一体形成され、開口部３６の後方に位置して後ガイド部４４が一体形成されている。これら前ガイド部４３および後ガイド部４４のそれぞれは左右方向へ指向する直線状をなすものであり、球タンク２５の底板２９に対して下方へ突出している。これら前ガイド部４３および後ガイド部４４相互間には、図７に示すように、下方からアースプレート４５が挿入されている。このアースプレート４５は導電性の金属板からなるものであり、アースプレート４５の左右方向の中央部には、図８に示すように、幅広部４６が形成されている。この幅広部４６はアースプレート４５の残りの部分に比べて前後方向の幅寸法が大きく設定された部分を称するものであり、アースプレート４５は幅広部４６が前ガイド部４３および後ガイド部４４のそれぞれに接触することに基づいて左右方向へ一定の直線的な軌跡でスライド可能にされている。
【００２３】
アースプレート４５には、図８に示すように、底板２９の中心線ＣＬ上に位置して右ガイド孔４７が形成されている。この右ガイド孔４７は左右方向へ指向する長孔からなるものであり、右ガイド孔４７は、図９に示すように、右ボス部４８の外周面に嵌合されている。この右ボス部４８は球タンク２５の底板２９に一体形成されたものであり、アースプレート４５は右ガイド孔４７の内面が右方から右ボス部４８に接触した前進位置および右ガイド孔４７の内面が左方から右ボス部４８に接触した後退位置相互間で左右方向へスライド可能にされている。この右ボス部４８は底板２９から下方に突出する円筒状をなすものである。この右ボス部４８の内周面には下方からネジが螺合されており、ネジの頭部はアースプレート４５を下方から支持することに基づいてアースプレート４５が前ガイド部４３および後ガイド部４４相互間から脱落することを防止している。
【００２４】
アースプレート４５には、図８に示すように、底板２９の中心線ＣＬ上に位置して左ガイド孔４９が形成されている。この左ガイド孔４９は左右方向へ指向する長孔からなるものであり、左ガイド孔４９は左ボス部５０の外周面に嵌合されている。この左ボス部５０は、図６に示すように、球タンク２５の底板２９に対して下方に突出する円筒状をなすものであり、球仕切板３７と前球仕切板３８と後球仕切板３９相互間に配置されている。この左ボス部５０は球仕切板３７と前球仕切板３８と後球仕切板３９のそれぞれに一体形成されたものであり、球仕切板３７と前球仕切板３８と後球仕切板３９によって囲まれることに基づいて補強されている。アースプレート４５には、図９に示すように、幅広部４６に位置してストッパ５１が一体形成されている。このストッパ５１は配線が接続されたものであり、凹部５２を通して球タンク２５の後ガイド部４４から後方へ突出している。この凹部５２は後ガイド部４４に形成されたものであり、ストッパ５１の配線はパチンコホールの島設備を介してアース接続されている。
【００２５】
アースプレート４５には、図８に示すように、幅広部４６に位置して２個の右排出孔５３および２個の左排出孔５４のそれぞれが形成されている。これら２個の右排出孔５３および２個の左排出孔５４のそれぞれは遊技球から脱落した塵埃を球タンク２５の外部に落下させるものであり、２個の右排出孔５３および２個の左排出孔５４のそれぞれはアースプレート４５が前進位置および後退位置のいずれに操作されている場合にも開口部３６を介して球タンク２５の外部に接続される。これら２個の右排出孔５３および２個の左排出孔５４のそれぞれの前後方向の幅寸法は、図７に示すように、遊技球の直径寸法に比べて小さく設定されている。これら２個の右排出孔５３のそれぞれは球仕切板３７に接するように球仕切板３７を挟んで前後方向に相互に対向配置され、２個の左排出孔５４のそれぞれは球仕切板３７に接するように球仕切板３７を挟んで前後方向に相互に対向配置されており、遊技球は前整列路４１内を右排出孔５３および左排出孔５４のそれぞれに嵌ることなくアースプレート４５に接触しながら転動し、後整列路４２内を右排出孔５３および左排出孔５４のそれぞれに嵌ることなくアースプレート４５に接触しながら転動する。
【００２６】
アースプレート４５には、図９に示すように、幅広部４６の右方に位置して２個の右切欠部５５が形成され、幅広部４６の左方に位置して２個の左切欠部５６が形成されている。これら２個の右切欠部５５および２個の左切欠部５６のそれぞれは遊技球から脱落した塵埃を球タンク２５の外部に落下させるものであり、２個の左切欠部５６のそれぞれはアースプレート４５が前進位置および後退位置のいずれに操作されている場合にも開口部３６を介して球タンク２５の外部に接続される。２個の右切欠部５５のそれぞれはアースプレート４５が前進位置に操作されている場合に開口部３６を介して球タンク２５の外部に接続されるものであり、球タンク２５の底板２９はアースプレート４５が後退位置に操作されている場合に２個の右切欠部５５のそれぞれを球タンク２５の外部から遮断する。これら２個の右切欠部５５および２個の左切欠部５６のそれぞれの前後方向の幅寸法は遊技球の直径寸法に比べて小さく設定されており、遊技球は前整列路４１内を右切欠部５５に嵌ることなくアースプレート４５に接触しながら転動し、前延長整列路４１ａ内を左切欠部５６に嵌ることなくアースプレート４５に接触しながら転動し、後整列路４２内を右欠部５５に嵌ることなくアースプレート４５に接触しながら転動し、後延長整列路４２ａ内を左切欠部５６に嵌ることなくアースプレート４５に接触しながら転動する。
【００２７】
アースプレート４５のストッパ５１には、図９に示すように、非導電性の合成樹脂を材料とする操作子５７が固定されている。この操作子５７は後ガイド部４４の凹部５２から後方へ突出するものであり、アースプレート４５はパチンコホールの店員が操作子５７を操作することに基づいて前進位置および後退位置相互間でスライド操作され、底板２９の開口部３６を前進位置および後退位置のそれぞれで遊技球が転動可能に閉鎖する。即ち、球タンク２５内の遊技球はアースプレート４５が前進位置および後退位置のいずれに操作されているときであっても前整列路４１内と前延長整列路４１ａ内と後整列路４２内と後延長整列路４２ａ内のそれぞれを転動することに基づいてアースプレート４５に接触するものであり、遊技球はアースプレート４５に接触することに基づいて電荷がアースプレート４５の配線を通して放出される。
【００２８】
機構部ケース３５の内部には、図１０に示すように、払出しモータ５８が収納されている。この払出しモータ５８はステッピングモータからなるものであり、機構部ケース３５の上面を通して機構部ケース３５内に収納されている。この払出しモータ５８は、図１１に示すように、上下方向へ指向する回転軸５９を有するものであり、払出しモータ５８の外周面には２個の取付片６０が固定されている。この払出しモータ５８の回転軸５９の外周面にはスクリュー６１が固定されている。このスクリュー６１は回転軸５９と同心な円柱状をなすものであり、螺旋状の球送り６２を有している。この球送り６２は始端部および終端部が上下方向に相互に離間するものであり、球送り６２の始端部および球送り６２の終端部相互間には１個の遊技球を排出することが可能な大きさの排出口６３が形成されている。
【００２９】
機構部ケース３５の内部には、図４に示すように、モータ受け６４が固定されている。このモータ受け６４は機構部ケース３５の内部空間を上下方向に区画する水平な板状をなすものであり、球タンク２５の底板２９および機構部ケース３５相互間の接続部分より高所に配置されている。このモータ受け６４は非導電性の合成樹脂を材料とするものであり、モータ受け６４には２個の貫通孔６５が形成されている。このモータ受け６４は払出しモータ５８を下方から支持するものであり、モータ受け６４には左側面が開口する切欠状のスクリュー挿入口６６が形成されている。このスクリュー挿入口６６の前後方向の幅寸法はスクリュー６１のうち球送り６２の直径寸法に比べて大きく設定されており、払出しモータ５８のスクリュー６１は上方からスクリュー挿入口６６を通してモータ受け６４の下方に挿入されている。
【００３０】
機構部ケース３５には、図１２に示すように、上方から機構部カバー６７が被せられており、機構部ケース３５の上面は機構部カバー６７によって塞がれている。この機構部カバー６７は非導電性の合成樹脂を材料とするものであり、機構部カバー６７にはモータカバー６８が一体形成されている。このモータカバー６８はモータ受け６４に接触する円筒状をなすものであり、払出しモータ５８はモータカバー６８の内部の断熱空間部に収納されている。機構部カバー６７にはモータカバー６８の天井部に位置して複数の放熱孔６９が形成されており、払出しモータ５８で発生した熱は複数の放熱孔６９のそれぞれを通して機構部ケース３５の外部に放出される。この機構部カバー６７の天井板には２個の貫通孔７０が形成されており、モータカバー６８の外周面には両貫通孔７０のそれぞれの下方に位置して取付片７１が一体形成されている。これら両取付片７１のそれぞれには上方から機構部カバー６７の貫通孔７０を通してネジ７２が挿入されており、両ネジ７２のそれぞれは払出しモータ５８の取付片６０を通してモータ受け６４の貫通孔６５内に挿入されている。
【００３１】
機構部ケース３５の内部には、図９に示すように、下方からスクリューベース７３が挿入されている。このスクリューベース７３は非導電性の合成樹脂を材料とするものであり、スクリューベース７３には２個のネジ孔が形成されている。これら両ネジ孔のそれぞれの内周面には上方からネジ７２が螺合されており、スクリューベース７３は両ネジ７２によってモータ受け６４に固定されている。即ち、払出しモータ５８と機構部カバー６７とスクリューベース７３のそれぞれは共通のネジ７２を介してモータ受け６４に着脱可能に固定されたものであり、払出しモータ５８および機構部カバー６７のそれぞれは機構部カバー６７の両貫通孔７０内のそれぞれに上方から工具を挿入して両ネジ７２のそれぞれを取外すことに基づいてモータ受け６４から取外される。機構部ケース３５の左側板には、図１０に示すように、上面が開口する抜取り口７４が形成されており、払出しモータ５８は２本のネジ７２を取外した後に抜取り口７４から手指を挿入することに基づいて機構部ケース３５の上面を通して機構部ケース３５の外部に抜取られる。
【００３２】
スクリューベース７３には、図９に示すように、水平な板状の取付片７５が一体形成されており、取付片７５には位置決め部７６が一体形成されている。この位置決め部７６は底板を有する円筒状をなすものであり、位置決め部７６の内周面には上方から球タンク２５の左ボス部５０の外周面が接触状態で嵌合されている。この位置決め部７６の底板には貫通孔が形成されており、球タンク２５の左ボス部５０の内周面には下方から位置決め部７６の貫通孔を通してネジ７７が螺合されている。即ち、スクリューベース７３はアースプレート４５と共に球タンク２５の左ボス部５０にネジ７７を介して着脱可能に取付けられており、モータ受け６４の２本のネジ７２および左ボス部５０の１本のネジ７７の全てを取外すことに基づいて球タンク２５およびモータ受け６４の双方から取外される。
【００３３】
モータ受け６４には、図６に示すように、前スペーサ７８および後スペーサ７９のそれぞれが一体形成されている。これら前スペーサ７８および後スペーサ７９のそれぞれは上下方向へ指向する板状をなすものであり、前後方向に相互に離間して配置されている。これら前スペーサ７８および後スペーサ７９のそれぞれの下面にはスクリューベース７３が両ネジ７２の締結力で接触しており、モータ受け６４およびスクリューベース７３相互間には、図７に示すように、前スペーサ７８および後スペーサ７９のそれぞれの高さ寸法に相当する空間状の転動室１１０が形成されている。この転動室１１０は前延長整列路４１ａを介して前整列路４１の左端部に接続され、後延長整列路４２ａを介して後整列路４２の左端部に接続されたものであり、前整列路４１内の遊技球はアースプレート４５が前進位置および後退位置のいずれに操作されているときであっても前延長整列路４１ａに沿って転動室１１０内に１列で転動し、後整列路４２内の遊技球はアースプレート４５が前進位置および後退位置のいずれに操作されているときであっても後延長整列路４２ａに沿って転動室１１０内に１列で転動する。
【００３４】
スクリューベース７３には、図９に示すように、前払出し中継通路８０および後払出し中継通路８１のそれぞれが形成されている。これら前払出し中継通路８０および後払出し中継通路８１のそれぞれは遊技球が一列に通過することが可能な大きさを有するものであり、前払出し中継通路８０の出口および後払出し中継通路８１の出口のそれぞれはスクリューベース７３の下面を介して外部に開口している。これら前払出し中継通路８０の入口および後払出し中継通路８１の入口のそれぞれはスクリューベース７３の上面を介して転動室１１０内に開口するものであり、前整列路４１内の遊技球は前延長整列路４１ａに沿って前払出し中継通路８０の入口に一列で進入し、後整列路４２内の遊技球は後延長整列路４２ａに沿って後払出し中継通路８１の入口に一列で進入する。
【００３５】
払出しモータ５８のスクリュー６１は、図１１に示すように、スクリューベース７３の内部に上方から挿入されたものであり、スクリュー６１の球送り６２は前払出し中継通路８０内および後払出し中継通路８１内のそれぞれに突出している。この球送り６２は払出しモータ５８の運転停止状態で前払出し中継通路８０内の遊技球および後払出し中継通路８１内の遊技球のそれぞれを下方から落下不能に支えものであり、払出しモータ５８の運転状態では排出口６３が前払出し中継通路８０内に移動する毎に前払出し中継通路８０内の遊技球が前払出し中継通路８０の出口から１個単位で放出され、排出口６３が後払出し中継通路８１内に移動する毎に後払出し中継通路８１内の遊技球が後払出し中継通路８１の出口から１個単位で放出される。この払出しモータ５８は賞球制御回路に接続されたものであり、賞球制御回路はメイン制御回路からの賞球コマンドを受信することに基づいて払出しモータ５８を駆動制御して前払出し中継通路８０内および後払出し中継通路８１内から遊技球を交互に１個ずつ放出する。払出しモータ５８とスクリュー６１とスクリューベース７３は遊技球が遊技盤の入賞口に入賞することに基づいて球タンク２５内の遊技球を賞品として払出す球払出し装置１２１（図８参照）を構成するものである。
【００３６】
スクリューベース７３には、図９に示すように、前球抜き中継通路８２が形成されている。この前球抜き中継通路８２は遊技球が一列に通過することが可能な大きさを有するものであり、前球抜き中継通路８２の出口は前払出し中継通路８０の右方でスクリューベース７３の下面を介して外部に開口している。この前球抜き中継通路８２の入口は前延長整列路４１ａの出口および前払出し中継通路８０の入口相互間で転動室１１０内に開口しており、アースプレート４５は前進位置に操作されることに基づいて前球抜き中継通路８２の入口を遊技球が進入不能に閉鎖する。このアースプレート４５は後退位置に操作されることに基づいて前球抜き中継通路８２の入口を遊技球が進入可能に開放するものであり、前球抜き中継通路８２の開放状態では前整列路４１内の遊技球が前延長整列路４１ａに沿って前球抜き中継通路８２の入口に一列で進入し、前球抜き中継通路８２の出口からスクリューベース７３の外部に一列で排出される。
【００３７】
スクリューベース７３には、図９に示すように、後球抜き中継通路８３が形成されている。この後球抜き中継通路８３は遊技球が一列に通過することが可能な大きさを有するものであり、後球抜き中継通路８３の出口は後払出し中継通路８１の出口の右方でスクリューベース７３の下面を介して外部に開口している。この後球抜き中継通路８３の入口は後延長整列路４２ａの出口および後払出し中継通路８１の入口相互間で転動室１１０内に開口しており、アースプレート４５は前進位置に操作されることに基づいて後球抜き中継通路８３の入口を遊技球が進入不能に閉鎖する。このアースプレート４５は後退位置に操作されることに基づいて後球抜き中継通路８３の入口を遊技球が進入可能に開放するものであり、後球抜き中継通路８３の開放状態では後整列路４２内の遊技球が後延長整列路４２ａに沿って後球抜き中継通路８３の入口に一列で進入し、後球抜き中継通路８３の出口からスクリューベース７３の外部に一列で排出される。
【００３８】
前球抜き中継通路８２および後球抜き中継通路８３のそれぞれは球タンク２５内から遊技球を抜取るためのものであり、アースプレート４５が前進位置から後退位置に操作されたときには球タンク２５内の遊技球が前整列路４１から前球抜き中継通路８２を通して機構部ケース３５の外部に抜取られ、後整列路４２から後球抜き中継通路８３を通して機構部ケース３５の外部に抜取られる。このアースプレート４５を用いた球抜きは例えばパチンコホールの営業時間が終了するときに行われるものであり、アースプレート４５は球抜きを行う場合以外の通常時には前進位置に操作され、前球抜き中継通路８２および後球抜き中継通路８３のそれぞれはアースプレート４５によって閉鎖されている。
【００３９】
スクリューベース７３には、図９に示すように、前球検出スイッチ８４および後球検出スイッチ８５のそれぞれが固定されている。これら前球検出スイッチ８４および後球検出スイッチ８５のそれぞれは反射形のフォトセンサからなるものであり、発光ダイオードおよびフォトトランジスタを有している。前球検出スイッチ８４の発光ダイオードは前払出し中継通路８０の出口の下方に向けて赤外線を水平に投射するものであり、前払出し中継通路８０の出口から遊技球が落下したときには前球検出スイッチ８４の発光ダイオードから遊技球に赤外線が照射される。この赤外線は遊技球によって反射されることに基づいて前球検出スイッチ８４のフォトトランジスタに入射し、前球検出スイッチ８４は赤外線が自身のフォトトランジスタに入射することに基づいて前球検出信号を出力する。
【００４０】
後球検出スイッチ８５の発光ダイオードは後払出し中継通路８１の出口の下方に向けて赤外線を水平に投射するものであり、後払出し中継通路８１の出口から遊技球が落下したときには後球検出スイッチ８５の発光ダイオードから遊技球に赤外線が照射される。この赤外線は遊技球によって反射されることに基づいて後球検出スイッチ８５のフォトトランジスタに入射し、後球検出スイッチ８５は赤外線が自身のフォトトランジスタに入射することに基づいて後球検出信号を出力する。これら前球検出スイッチ８４および後球検出スイッチ８５のそれぞれは賞球制御回路に接続されており、賞球制御回路は前払出し中継通路８０の出口から遊技球が放出されたか否かを前球検出信号の有無に基づいて判断し、後払出し中継通路８１の出口から遊技球が放出されたか否かを後球検出信号の有無に基づいて判断する。
【００４１】
ユニットベース２１には、図４に示すように、球タンク２５の前板２６の前方に位置して仕切板８６が一体形成されており、仕切板８６および前板２６相互間にはベース収納部８７が形成されている。このベース収納部８７は上面が開口する空間状をなすものであり、ベース収納部８７内には、図１０に示すように、上方から球均しベース８８が着脱可能に挿入されている。この球均しベース８８には、図１３に示すように、前後方向へ指向する右軸８９が固定されており、右軸８９は、図１０に示すように、切欠状の右軸受部９０を通して球タンク２５内に挿入されている。この右軸受部９０は球タンク２５の前板２６に形成されたものであり、右軸８９には、図１３に示すように、前球均し部材９１の上端部および後球均し部材９２の上端部のそれぞれが回転可能に装着されている。これら前球均し部材９１および後球均し部材９２は隙間を挟んで前後方向に相互に対向するものであり、前球均し部材９１は前整列路４１内に挿入され、後球均し部材９２は後整列路４２内に挿入され、球仕切板３７は前球均し部材９１および後球均し部材９２相互間の隙間に挿入されている。これら前球均し部材９１および後球均し部材９２のそれぞれは右軸８９と反対側の端部に重心位置が設定されたものである。これら前球均し部材９１および後球均し部材９２のそれぞれは垂直な自然状態に自重でコントロールされるものであり、前球均し部材９１の自然状態では前球均し部材９１および球タンク２５の底板２９相互間に１個の遊技球が通過可能な隙間が形成され、後球均し部材９２の自然状態では後球均し部材９２および球タンク２５の底板２９相互間に１個の遊技球が通過可能な隙間が形成される。
【００４２】
球均しベース８８には、図１３に示すように、右軸８９の左方に位置して前後方向へ指向する左軸９３が固定されており、左軸９３は、図１０に示すように、切欠状の左軸受部９４を通して球タンク２５内に挿入されている。この左軸受部９４は球タンク２５の前板２６に形成されたものであり、左軸９３には、図１３に示すように、前重り部材９５の上端部および後重り部材９６の上端部のそれぞれが回転可能に装着されている。これら前重り部材９５および後重り部材９６は隙間を挟んで前後方向に相互に対向するものであり、前重り部材９５は前整列路４１内に前球均し部材９１の左方に位置して挿入され、後重り部材９６は後整列路４２内に後球均し部材９２の左方に位置して挿入され、球仕切板３７は前重り部材９５および後重り部材９６相互間の隙間に挿入されている。これら前重り部材９５および後重り部材９６のそれぞれは左軸９３と反対側の端部に重心位置が設定されたものである。これら前重り部材９５および後重り部材９６のそれぞれは垂直な自然状態に自重でコントロールされるものであり、前重り部材９５の自然状態では前重り部材９５および球タンク２５の底板２９相互間に前球均し部材９１および底板２９相互間の隙間より高さ寸法が大きな隙間が形成され、後重り部材９６の自然状態では後重り部材９６および球タンク２５の底板２９相互間に後球均し部材９２および底板２９相互間の隙間より高さ寸法が大きな隙間が形成される。
【００４３】
前球均し部材９１は前整列路４１内の遊技球に荷重を加えるものであり、前整列路４１内の遊技球が上下方向にＮ段（例えばＮ＝２）以上に重なって前球均し部材９１の下方を通過しようとしたときには前球均し部材９１が遊技球によって押圧されることに基づいて図１３の矢印方向へ単独で回動し、前球均し部材９１から前整列路４１内の遊技球に荷重が作用し、前整列路４１内の遊技球が前球均し部材９１からの荷重で上下方向に１段に均される。後球均し部材９２は後整列路４２内の遊技球に荷重を加えるものであり、後整列路４２内の遊技球が上下方向にＮ段以上に重なって後球均し部材９２の下方を通過しようとしたときには後球均し部材９２が遊技球によって押圧されることに基づいて図１３の矢印方向へ単独で回動し、後球均し部材９２から後整列路４２内の遊技球に荷重が作用し、後整列路４２内の遊技球が後球均し部材９２からの荷重で上下方向に１段に均される。
【００４４】
前重り部材９５は前球均し部材９１に荷重を加えるものであり、前整列路４１内の遊技球が上下方向に「Ｎ＋１」段以上に重なって前球均し部材９１の下方を通過しようとしたときには前球均し部材９１が遊技球によって押圧されることに基づいて図１３の矢印方向へ回動し、前重り部材９５が前球均し部材９１によって押圧されることに基づいて図１３の矢印方向へ回動する。この状態では前球均し部材９１が単独で回動している場合に比べて大きな荷重が前球均し部材９１および前重り部材９５の双方から前整列路４１内の遊技球に作用するので、前整列路４１内の遊技球が前球均し部材９１および前重り部材９５の双方からの荷重で上下方向に１段に均される。
【００４５】
後重り部材９６は後球均し部材９２に荷重を加えるものであり、後整列路４２内の遊技球が上下方向に「Ｎ＋１」段以上に重なって後球均し部材９２の下方を通過しようとしたときには後球均し部材９２が遊技球によって押圧されることに基づいて図１３の矢印方向へ回動し、後重り部材９６が後球均し部材９２によって押圧されることに基づいて図１３の矢印方向へ回動する。この状態では後球均し部材９２が単独で回動している場合に比べて大きな荷重が後球均し部材９２および後重り部材９６の双方から後整列路４２内の遊技球に作用するので、後整列路４２内の遊技球が後球均し部材９２および後重り部材９６の双方からの荷重で上下方向に１段に均される。
【００４６】
モータ受け６４には、図４に示すように、タンクカバー９７が一体形成されており、タンクカバー９７は球タンク２５の左側面を通して球タンク２５内に挿入されている。このタンクカバー９７の前後方向の中央部には溝部９８が形成されており、球タンク２５の球仕切板３７の左端部はタンクカバー９７の溝部９８内に挿入されている。このタンクカバー９７の右端部は、図１０に示すように、前重り部材９５および後重り部材９６のそれぞれの下方まで延びており、球タンク２５の前球仕切板３８および後球仕切板３９のそれぞれはタンクカバー９７の下方に配置されている。このタンクカバー９７は前整列路４１内の遊技球が前重り部材９５に接触することを防止し、後整列路４２内の遊技球が後重り部材９６に接触することを防止するものであり、タンクカバー９７および球タンク２５の底板２９相互間には遊技球が上下方向に一段で通過することが可能な大きさの隙間が形成されている。
【００４７】
球タンク２５には、図４に示すように、タンクカバー９７の上方に位置して球止め挿入室９９が形成されている。この球止め挿入室９９は前板と後板と左側板と右側板のそれぞれで囲まれた空間部を称するものであり、球止め挿入室９９内には、図１２に示すように、非導電性の合成樹脂を材料とする球止め部材１００が挿入されている。この球止め部材１００は上下方向へ指向する板状をなすものであり、図６に示すように、前球止め部１０１および後球止め部１０２を有している。これら前球止め部１０１および後球止め部１０２は前後方向に隙間を介して相互に対向するものであり、レールカバー９７には前球止め部１０１および後球止め部１０２の双方の下方に位置して開口部が形成されている。
【００４８】
球止め部材１００は初期位置および球止め位置相互間で上下方向へスライド可能にされたものであり、球止め部材１００の上端部には、図１２に示すように、球止め部材１００を初期位置および球止め位置相互間で操作するための操作部１０３が一体形成されているこの球止め部材１００の初期位置は前球止め部１０１および後球止め部１０２のそれぞれがタンクカバー９７の上方に退避した位置であり、球止め部材１００は球止め挿入室９９の壁面に対する接触抵抗で初期位置に保持される。この球止め部材１００の初期位置では前整列路４１内の遊技球が前延長整列路４１ａから機構部ケース３５の転動室１１０内に進入することが許容され、後整列路４２内の遊技球が後延長整列路４２ａから機構部ケース３５の転動室１１０内に進入することが許容される。
【００４９】
球止め部材１００の球止め位置は前球止め部１０１がレールカバー９７の開口部を通して前延長整列路４１ａ内に進入し、後球止め部１０２がレールカバー９７の開口部を通して後延長整列路４２ａ内に進入した位置である。この球止め部材１００は操作部１０３が球止め挿入室９９の上端面に接触することに基づいて球止め位置に保持されるものであり、球止め部材１００の球止め位置では球タンク２５の前球仕切板３８および後球仕切板３９のそれぞれが前球止め部１０１および後球止め部１０２相互間の隙間に挿入される。この球止め部材１００の球止め位置では前延長整列路４１ａ内の遊技球が前球止め部１０１に接触することに基づいて機構部ケース３５の転動室１１０内に進入することが禁止され、後延長整列路４２ａ内の遊技球が後球止め部１０２に接触することに基づいて機構部ケース３５の転動室１１０内に進入することが禁止される。
【００５０】
球止め部材１００は払出しモータ５８およびスクリューベース７３のそれぞれをメンテナンスするときに操作されるものである。即ち、払出しモータ５８およびスクリューベース７３のそれぞれをメンテナンスするときには球止め部材１００の操作部１０３を下方へ押込み操作することに基づいて球止め部材１００を初期位置から球止め位置にスライドさせる。この球止め部材１００の球止め位置では前整列路４１内の遊技球および後整列路４２内の遊技球のそれぞれが機構部ケース３５の転動室１１０内に転がり込むことが禁止されるので、前整列路４１内および後整列路４２内のそれぞれから遊技球を抜取ることなく払出しモータ５８およびスクリューベース７３のそれぞれのメンテナンスを行うことができる。タンクユニット２０は以上のように構成されている。
【００５１】
メインセット１５の下枠１６には、図１５に示すように、基板収納室１７の左方に隣接してケース挿入室１２０が形成されている。このケース挿入室１２０は機構部ケース３５の下方に配置されたものであり、図１６に示すように、左側面と上面と前面のそれぞれが開口する空間状をなしている。このケース挿入室１２０は右側板と後板と底板のそれぞれを有するものであり、ケース挿入室１２０内には、図１７に示すように、縦長な球払出しケース１３０の下端部が着脱可能に挿入されている。この球払出しケース１３０はケース挿入室１２０の右側板と後板と底板のそれぞれを介して支持されたものであり、機構部ケース３５の下方に配置されている。この球払出しケース１３０はメインセット１５の開放状態でケース挿入室１２０の前面を通してケース挿入室１２０内に対して出し入れされるものであり、メインセット１５の閉鎖状態では前方の遊技盤に接触することに基づいてケース挿入室１２０の前面から外れることが防止される。この球払出しケース１３０は、図２０に示すように、右払出しケース１３１と左払出しケース１３２とアース板１３３相互間を接合することから構成されたものであり、球払出しケース１３０の詳細構成は次の通りである。
【００５２】
右払出しケース１３１は、図２１に示すように、左側面が開口する縦長なものである。この右払出しケース１３１は非導電性の合成樹脂を材料とするものであり、右払出しケース１３１には、図２２に示すように、円形状をなす複数の開口部１３４が形成されている。アース板１３３は導電性の金属を材料に形成されたものであり、アース板１３３には、図２４に示すように、円形状をなす複数の開口部１３５が形成されている。左払出しケース１３２は、図２３に示すように、右側面が開口する縦長なものである。この左払出しケース１３２は非導電性の合成樹脂を材料とするものであり、左払出しケース１３２には複数のボス部１３６が形成されている。これら複数のボス部１３６のそれぞれは右側面が開口する円筒状をなすものであり、左払出しケース１３２の複数のボス部１３６のそれぞれの内周面には右方から右払出しケース１３１の開口部１３４およびアース板１３３の開口部１３５のそれぞれを順に通してねじが螺合されている。これら複数のねじのそれぞれは右払出しケース１３１と左払出しケース１３２とアース板１３３相互間を接合するものであり、アース板１３３は右払出しケース１３１の左側面および左払出しケース１３２の右側面のそれぞれを球払出しケース１３０のアース領域１３７内で閉鎖している。このアース領域１３７は、図２０に示すように、上下方向へ指向する直線状の部分を称するものであり、右払出しケース１３１の左側面および左払出しケース１３２の右側面のそれぞれは非アース領域１３８内で相互に接続されている。この非アース領域１３８は球払出しケース１３０のうちアース領域１３７の前方に位置する残りの領域を称する。
【００５３】
右払出しケース１３１には、図２２に示すように、右球抜き通路１３９が形成されている。この右球抜き通路１３９は右払出しケース１３１のアース領域１３７および非アース領域１３８の双方を上下方向に貫通する縦長なものであり、右球抜き通路１３９の水平方向の断面は、図２６に示すように、遊技球が一列に通過することが可能な四角形状に設定されている。この右球抜き通路１３９は上面と下面と左側面のそれぞれが開口するものであり、アース板１３３は右球抜き通路１３９の左側面をアース領域１３７内で遊技球が逸脱不能に閉鎖している。この右球抜き通路１３９の下面の出口は、図２２に示すように、右払出しケース１３１の外部に下方に向けて開口し、右球抜き通路１３９の上面の入口はスクリューベース７３の前球抜き中継通路８２の出口に接続されており、スクリューベース７３の前球抜き中継通路８２の出口から放出された遊技球は右球抜き通路１３９の入口に進入し、右球抜き通路１３９に沿って落下した後に右球抜き通路１３９の出口から下方に向けて一列に排出される。即ち、スクリューベース７３の前球抜き中継通路８２の出口から放出された遊技球は球払出しケース１３０内の右側部を左右方向に位置を変えることなく落下する。
【００５４】
右払出しケース１３１には、図２２に示すように、右球抜き通路１３９の後方に位置して上通路１４０が形成されており、上通路１４０の水平方向の断面は、図２６に示すように、遊技球が一列に通過することが可能な四角形状に設定されている。この上通路１４０は、図２２に示すように、右球抜き通路１３９に比べて上下方向の長さ寸法が小さなものであり、右払出しケース１３１のアース領域１３７内のみに配置されている。この上通路１４０は上面と下面と左側面のそれぞれが開口するものであり、アース板１３３は上通路１４０の左側面の全域を遊技球が逸脱不能に閉鎖している。この上通路１４０の上面の入口はスクリューベース７３の後球抜き中継通路８３の出口に接続されており、スクリューベース７３の後球抜き中継通路８３の出口から放出された遊技球は上通路１４０の入口に進入し、上通路１４０に沿って落下する。右払出しケース１３１には右下球止め板１４１が形成されている。この右下球止め板１４１は左方に向けて水平に突出するものであり、上通路１４０の下面をアース領域１３７内で遊技球が脱落不能に閉鎖している。
【００５５】
左払出しケース１３２内には、図２３に示すように、下通路１４２が形成されており、下通路１４２の水平方向の断面は、図２６に示すように、遊技球が一列に通過することが可能な四角形状に設定されている。この下通路１４２は、図２３に示すように、右球抜き通路１３９に比べて上下方向の長さ寸法が小さなものであり、左払出しケース１３２のアース領域１３７内および非アース領域１３８内の双方に跨って配置されている。この下通路１４２は上面と下面と右側面のそれぞれが開口するものであり、アース板１３３は下通路１４２の右側面をアース領域１３７内で閉鎖している。この下通路１４２の下面の出口は左払出しケース１３２の外部に下方に向けて開口し、左通路１４２の上端部は右払出しケース１３１の上通路１４０の下端部にアース板１３３を挟んで左方から対向配置されている。左払出しケース１３２には左下球止め板１４３が形成されている。この左下球止め板１４３は右方に向けて水平に突出するものであり、下通路１４２の上面を遊技球が逸脱不能に閉鎖している。
【００５６】
アース板１３３には、図２４に示すように、右払出しケース１３１の上通路１４０の下端部および左払出しケース１３２の下通路１４２の上端部相互間に位置して切欠状の球抜き連絡口１４４が形成されている。この球抜き連絡口１４４は遊技球が一列に通過することが可能な四角形状をなすものであり、スクリューベース７３の後球抜き中継通路８３の出口から右払出しケース１３１の上通路１４０内に進入した遊技球は球抜き連絡口１４４を通して左払出しケース１３２の下通路１４２内に進入し、下通路１４２の下面の出口から下方に向けて排出される。これら上通路１４０と下通路１４２と球抜き連絡口１４４は遊技球が一列に通過することが可能な左球抜き通路１４５を構成するものであり、図２０に示すように、左球抜き通路１４５の入口は右払出しケース１３１に設定され、右球抜き通路１３９の入口の後方に前後方向に並べて配置されている。この左球抜き通路１４５の出口は左払出しケース１３２に設定され、図２６に示すように、右球抜き通路１３９の出口の左方に左右方向に並べて配置されている。即ち、スクリューベース７３の後球抜き中継通路８３の出口から放出された遊技球は球払出しケース１３０内の右側部からアース板１３３を貫通することで左側部に位置を変えて落下するものであり、アースプレート４５が前進位置から後退位置に操作されたときには遊技球が球払出しケース１３０から左右方向に２列に抜取られる。
【００５７】
左払出しケース１３２には、図２３に示すように、上通路１４６が形成されている。この上通路１４６は左払出しケース１３２のアース領域１３７内に配置されたものであり、上通路１４６の水平方向の断面は、図２６に示すように、遊技球が一列に通過することが可能な四角形状に設定されている。この上通路１４６は、図２３に示すように、上面と下面と右側面のそれぞれが開口するものであり、アース板１３３は上通路１４６の右側面の全域を遊技球が逸脱不能に閉鎖している。この上通路１４６の上面の入口はスクリューベース７３の前払出し中継通路８０の出口に接続されており、スクリューベース７３の前払出し中継通路８０の出口から放出された遊技球は上通路１４６の入口に進入し、上通路１４６に沿って落下する。左払出しケース１３２には左上球止め板１４７が形成されている。この左上球止め板１４７は右方に向けて水平に突出するものであり、上通路１４６の下面を遊技球が落下不能に閉鎖している。
【００５８】
右払出しケース１３１には、図２２に示すように、上下方向へ指向する下通路１４８が形成されており、下通路１４８の上端部は左払出しケース１３２の上通路１４６の下端部にアース板１３３を挟んで右方から対向配置されている。この下通路１４８は右払出しケース１３１のアース領域１３７内に配置されたものであり、下通路１４８の水平方向の断面は、図２６に示すように、遊技球が一列に通過可能な四角形状に設定されている。この下通路１４８は、図２２に示すように、上面と下面と左側面のそれぞれが開口するものであり、アース板１３３は下通路１４８の左側面の全域を遊技球が逸脱不能に閉鎖している。右払出しケース１３１には右上球止め板１４９が形成されている。この右上球止め板１４９は左方に向けて水平に突出するものであり、下通路１４８の上面を遊技球が逸脱不能に閉鎖している。
【００５９】
アース板１３３には、図２４に示すように、左払出しケース１３２の上通路１４６の下端部および右払出しケース１３１の下通路１４８の上端部相互間に位置して貫通孔状の払出し連絡口１５０が形成されている。この払出し連絡口１５０は遊技球が一列に通過することが可能な四角形状をなすものであり、スクリューベース７３の前払出し中継通路８０から左払出しケース１３２の上通路１４６内に進入した遊技球は払出し連絡口１５０を通して右払出しケース１３１の下通路１４８内に進入し、下通路１４８に沿って落下する。これら上通路１４６と下通路１４８と払出し連絡口１５０は遊技球が一列に転動することが可能な右払出し通路１５１を構成するものであり、図２０に示すように、右払出し通路１５１の入口は左払出しケース１３２に設定され、右払出し通路１５１の出口は右払出しケース１３１に設定されている。即ち、スクリューベース７３の前球抜き通路８０の出口から放出された遊技球は球払出しケース１３０内の左側部からアース板１３３を貫通することで右側部に位置を変えて落下する。
【００６０】
左払出しケース１３２には、図２３に示すように、上通路１４６の後方に位置して左払出し通路１５２が形成されている。この左払出し通路１５２は左払出しケース１３２のアース領域１３７内に配置されたものであり、左払出し通路１５２の水平方向の断面は、図２６に示すように、遊技球が一列に通過することが可能な四角形状に設定されている。この左払出し通路１５２は、図２３に示すように、上面と下面と右側面のそれぞれが開口するものであり、アース板１３３は左払出し通路１５２の右側面の全域を遊技球が逸脱不能に閉鎖している。この左払出し通路１５２の上面の入口はスクリューベース７３の後払出し中継通路８１の出口に接続されており、スクリューベース７３の後払出し中継通路８１の出口から放出された遊技球は左払出し通路１５２の入口に進入し、左払出し通路１５２に沿って落下する。この左払出し通路１５２は上面の入口および下面の出口のそれぞれが共通の左払出しケース１３２に設定されたものであり、左払出し通路１５２の入口は、図２０に示すように、右払出し通路１５１の入口の後方に前後方向に相互に並べて配置され、左払出し通路１５２の出口は右払出し通路１５１の出口の左方に左右方向に相互に並べて配置されている。即ち、スクリューベース７３の後払出し中継通路８１の出口から放出された遊技球は球払出しケース１３０内の左側部を左右方向へ位置を変えることなく落下するものであり、遊技球が複数の入賞口のそれぞれに入賞したときには遊技球が球払出しケース１３０内を左右方向に２列に落下する。
【００６１】
右払出しケース１３１には、図２２に示すように、下通路１４８の下方に位置して右振分け室１５３が形成されており、下通路１４８の出口は右振分け室１５３の頂上部に接続されている。この右振分け室１５３は左側面が開口する空間状をなすものであり、アース板１３３は右振分け室１５３の左側面を遊技球が逸脱不能に閉鎖している。この右振分け室１５３は右払出しケース１３１のアース領域１３７内に配置されたものであり、右分け室１５３の上下方向の高さ寸法および前後方向の幅寸法のそれぞれは複数個の遊技球が同時に並ぶことが可能な値に設定されている。この右振分け室１５３の左右方向の幅寸法は遊技球が一列に転動することが可能な値に設定されており、スクリューベース７３の前払出し中継通路８０から放出された遊技球は左払出しケース１３２の上通路１４６の入口から右払出しケース１３１の下通路１４８の出口を通って右振分け室１５３内に一列に放出される。
【００６２】
左払出しケース１３２には、図２３に示すように、左払出し通路１５２の下方に位置して左振分け室１５４が形成されており、左払出し通路１５２の出口は左振分け室１５４の頂上部に接続されている。この左振分け室１５４は右側面が開口する空間状をなすものであり、アース板１３３は左振分け室１５４の右側面を遊技球が逸脱不能に閉鎖している。この左振分け室１５４は右振分け室１５３にアース板１３３を挟んで左方から対向するように左払出しケース１３２のアース領域１３７内に配置されたものであり、左振分け室１５４の上下方向の高さ寸法および前後方向の幅寸法のそれぞれは複数個の遊技球が同時に並ぶことが可能な値に設定されている。この左振分け室１５４の左右方向の幅寸法は遊技球が一列に転動することが可能な値に設定されており、スクリューベース７３の後球通路８１から放出された遊技球は左払出し通路１５２入口から出口を通して左振分け室１５４内に一列に放出される。
【００６３】
右払出しケース１３１には、図２２に示すように、右振分け室１５３の下方に位置して右上皿通路１５５が形成されている。この右上皿通路１５５は上面と下面と左側面のそれぞれが開口するものであり、右払出しケース１３１のアース領域１３７内および非アース領域１３８内の双方を跨いで配置されている。この右上皿通路１５５の水平方向の断面は、図２６に示すように、遊技球が一列に転動することが可能な四角形状に設定されており、アース板１３３は右上皿通路１５５の左側面をアース領域１３７内で遊技球が逸脱不能に閉鎖している。この右上皿通路１５５の下面の出口は、図２０に示すように、右払出しケース１３１の外部に前方へ向けて開口し、右上皿通路１５５の上面の入口は、図２２に示すように、右振分け室１５３を介して下通路１４８の出口に下方から対向しており、スクリューベース７３の前払出し中継通路８０から放出された遊技球は下通路１４８の出口から右振分け室１５３内を通過して右上皿通路１５５の入口に進入し、右上皿通路１５５に沿って落下した後に右上皿通路１５５の出口から前方に向けて放出される。
【００６４】
左払出しケース１３２には、図２３に示すように、左振分け室１５４の下方に位置して左上皿通路１５６が形成されている。この左上皿通路１５６は上面と下面と右側面のそれぞれが開口するものであり、左払出しケース１３２のアース領域１３７および非アース領域１３８の双方を跨いで配置されている。この左上皿通路１５６の水平方向の断面は、図２６に示すように、遊技球が一列に転動することが可能な四角形状に設定されており、アース板１３３は左上皿通路１５６の右側面をアース領域１３７内で遊技球が逸脱不能に閉鎖している。この左上皿通路１５６の下面の出口は、図２０に示すように、左払出しケース１３２の外部に前方へ向けて開口し、左上皿通路１５６の上面の入口は、図２３に示すように、左振分け室１５４を介して左払出し通路１５２の出口に下方から対向しており、スクリューベース７３の後払出し中継通路８１から放出された遊技球は左払出し通路１５２の出口から左振分け室１５４内を通過して左上皿通路１５６の入口に進入し、左上皿通路１５６に沿って落下した後に左上皿通路１５６の出口から前方に向けて放出される。
【００６５】
右上皿通路１５５および左上皿通路１５６は、図２０に示すように、入口および出口の双方を含む上下方向の全域が左右方向に相互に対向するものである。これら右上皿通路１５５の出口および左上皿通路１５６の出口のそれぞれは払出口９を介して上皿８内に接続されており、右上皿通路１５５の出口および左上皿通路１５６の出口のそれぞれから放出された遊技球は払出口９を通して上皿８内に供給される。
【００６６】
右払出しケース１３１には、図２２に示すように、右上皿通路１５５の後方に位置して右下皿通路１５７が形成されている。この右下皿通路１５７は上面と下面と左側面のそれぞれが開口するものであり、右払出しケース１３１のアース領域１３７および非アース領域１３８の双方を跨いで配置されている。この右下皿通路１５７の水平方向の断面は、図２６に示すように、遊技球が前後方向に複数列（例えば２列）に並んで転動することが可能な四角形状に設定されており、アース板１３３は右下皿通路１５７の左側面をアース領域１３７内で遊技球が逸脱不能に閉鎖している。この右下皿通路１５７の下面の出口は、図２０に示すように、右払出しケース１３１の外部に右上皿通路１５５の下方で前方へ向けて開口し、右下皿通路１５７の上面の入口は、図２２に示すように、右上皿通路１５５の入口の後方で右振分け室１５３内に接続されている。この右下皿通路１５７の入口は下通路１４８の出口に下方から対向しないように下通路１４８の出口に対して後方にずらして右払出し室１５３内に接続されたものであり、上皿８内から遊技球が溢れて右上皿通路１５５の入口まで遊技球が充填された上皿８の右満杯状態では下通路１４８の出口から放出された遊技球が右下皿通路１５７の入口に進入し、右下皿通路１５７に沿って落下した後に右下皿通路１５７の出口から前方に向けて放出される。
【００６７】
左払出しケース１３２には、図２３に示すように、左上皿通路１５６の後方に位置して左下皿通路１５８が形成されている。この左下皿通路１５８は上面と下面と右側面のそれぞれが開口するものであり、左払出しケース１３２のアース領域１３７および非アース領域１３８の双方を跨いで配置されている。この左下皿通路１５８の水平方向の断面は、図２６に示すように、遊技球が前後方向に複数列（例えば２列）に並んで転動することが可能な四角形状に設定されており、アース板１３３は左下皿通路１５８の右側面をアース領域１３７内で遊技球が逸脱不能に閉鎖している。この左下皿通路１５８の下面の出口は、図２０に示すように、左払出しケース１３２の外部に左上皿通路１５６の出口の下方で前方へ向けて開口し、左下皿通路１５８の上面の入口は、図２３に示すように、左上皿通路１５６の入口の後方で左振分け室１５４内に接続されている。この左下皿通路１５８の入口は左払出し通路１５２の出口に下方から対向しないように左払出し通路１５２の出口に対して後方にずらして左払出し室１５４内に接続されたものであり、上皿８内から遊技球が溢れて左上皿通路１５６の入口まで遊技球が充填された上皿８の左満杯状態では左払出し通路１５２の出口から放出された遊技球が左下皿通路１５８の入口に進入し、左下皿通路１５８に沿って落下した後に左下皿通路１５８の出口から前方に向けて放出される。
【００６８】
右下皿通路１５７および左下皿通路１５８は、図２０に示すように、入口および出口の双方を含む上下方向の全域が左右方向に相互に対向するものであり、上皿８の満杯状態で遊技球が複数の入賞口のそれぞれに入賞したときには遊技球が球払出しケース１３０から前方に向けて左右方向に２列に放出される。これら右下皿通路１５７の出口および左下皿通路１５８の出口のそれぞれは下皿中継通路を介して下皿１１内に接続されている。この下皿中継通路は内枠２の台板４およびメインセット１５の下枠１６相互間に配置されたものであり、右下皿通路１５７の出口および左下皿通路１５８の出口のそれぞれから左右方向に一列で放出された遊技球は下皿中継通路を通して下皿１１内に払出される。
【００６９】
アース板１３３の上端部には、図２４に示すように、接続端子１５９が形成されている。この接続端子１５９はアース板１３３に対して右方へ直角に折れ曲がるものであり、アース板１３３の後端部に配置されている。この接続端子１５９は、図２０に示すように、球払出しケース１３０の外部に突出するものであり、球払出しケース１３０の外部で台座１６０に後方から接触している。この台座１６０は右払出しケース１３１に形成されたものであり、接続端子１５９に外力が作用することに基づいて接続端子１５９が前方へ折れ曲がることを防止している。この接続端子１５９には配線が接続されている。この配線はパチンコホールの島設備を介してアース接続されたものであり、遊技球は右球抜き通路１３９と左球抜き通路１４５と右払出し通路１５１と左払出し通路１５２のそれぞれを通過するときにアース板１３３に接触することに基づいて電荷が放出される。
【００７０】
右払出しケース１３１の後面には、図２２に示すように、左通路１４０の後方に位置して複数の右サポート１６１が一体形成されている。これら複数の右サポート１６１のそれぞれは上下方向に一列に隙間を介して配列されたものであり、複数の右サポート１６１のそれぞれの左方には、図２６に示すように、左サポート１６２が隙間を介して対向配置されている。これら複数の左サポート１６２のそれぞれは、図２３に示すように、左払出しケース１３２の後面に左払出し通路１５２の後方に位置して一体形成されたものであり、複数の右サポート１６１および複数の左サポート１６２相互間には、図２６に示すように、後面が開口する隙間状の上チューブ収納部が形成されている。
【００７１】
複数の右サポート１６１および複数の左サポート１６２相互間の上チューブ収納部内には、図２６に示すように、コルゲートチューブ１６４が収納されている。このコルゲートチューブ１６４は透明な合成樹脂を材料とするものであり、複数の右サポート１６１のそれぞれに接触することに基づいて右方へ位置ずれすることが防止され、複数の左サポート１６２のそれぞれに接触することに基づいて左方へ位置ずれすることが防止されている。このコルゲートチューブ１６４は上下方向へ指向する縦長なものであり、コルゲートチューブ１６４には１本のスリットが形成されている。このスリットはコルゲートチューブ１６４を軸方向に貫通するものであり、コルゲートチューブ１６４の内部空間にはスリットを通してアースプレート４５の配線と払出しモータ５８の配線と前球検出スイッチ８４の配線と後球検出スイッチ８５の配線と接続端子１５９の配線のそれぞれが挿入され、アースプレート４５の配線〜接続端子１５９の配線のそれぞれはコルゲートチューブ１６４の内部空間を通して中継基板に接続されている。この中継基板はメインセット１５の下枠１６に装着されたものであり、アースプレート４５の配線〜接続端子１５９の配線のそれぞれは中継基板を介してパチンコホールの島設備にアース接続されている。
【００７２】
右払出しケース１３１には、図２２に示すように、複数の右フック１６５が一体形成されている。これら複数の右フック１６５のそれぞれは右サポート１６１に比べて前後方向の高さ寸法が大きな爪状をなすものであり、上下方向に隣接する右サポート１６１相互間に配置されている。これら複数の右フック１６５のそれぞれの左方には、図２６に示すように、左フック１６６が隙間を介して対向配置されている。これら複数の左フック１６６のそれぞれは左サポート１６２に比べて前後方向の高さ寸法が大きな爪状をなすものであり、図２３に示すように、左払出しケース１３２の後面に上下方向に隣接する左サポート１６２相互間に位置して一体形成されている。
【００７３】
複数の左フック１６６のそれぞれの先端部は、図２６に示すように、右フック１６５の先端部に隙間を介して対向するものであり、左右方向に対向する右フック１６５の先端部および左フック１６６の先端部相互間には、図１４に示すように、隙間状の上チューブ挿入口１６７が形成されている。これら複数の上チューブ挿入口１６７のそれぞれの左右方向の幅寸法Ｗは、図２６に示すように、コルゲートチューブ１６４の外径寸法に比べて小さく設定されており、複数の右フック１６５の先端部および複数の左フック１６６の先端部のそれぞれはコルゲートチューブ１６４の外周面に係合することに基づいてコルゲートチューブ１６４が上チューブ挿入口１６７から後方へ外れることを防止している。このコルゲートチューブ１６４は合成樹脂を蛇腹状に成形することから構成されたものであり、コルゲートチューブ１６４を右フック１６５の先端部および左フック１６６の先端部のそれぞれに後方から押付けたときにはコルゲートチューブ１６４が径方向に潰れるように弾性変形することに基づいて上チューブ挿入口１６７から上チューブ収納部内に挿入され、コルゲートチューブ１６４を上チューブ収納部内から後方へ引張ったときにはコルゲートチューブ１６４が径方向に潰れるように弾性変形することに基づいて上チューブ挿入口１６７から抜取られる。
【００７４】
左払出しケース１３２の左側面には、図１８に示すように、最下段の左サポート１６２の下方に位置して後サポート１６８および前サポート１６９のそれぞれが一体形成されている。これら後サポート１６８および前サポート１６９は前後方向に隙間を介して対向するものであり、後サポート１６８および前サポート１６９相互間には、図２６に示すように、左側面が開口する隙間状の下チューブ収納部が形成されている。この下チューブ収納部内にはコルゲートチューブ１６４が収納されており、コルゲートチューブ１６４は後サポート１６８に接触することに基づいて後方へ位置ずれすることが防止され、前サポート１６９に接触することに基づいて前方へ位置ずれすることが防止されている。
【００７５】
左払出しケース１３２の左側面には、図１８に示すように、２個の後フック１７０が一体形成されている。これら２個の後フック１７０のそれぞれは後サポート１６８に比べて左右方向の高さ寸法が大きな爪状をなすものであり、後サポート１６８を挟んで上下方向に対向配置されている。これら２個の後フック１７０のそれぞれの前方には前フック１７１が隙間を介して対向配置されている。これら複数の前フック１７１のそれぞれは前サポート１６９に比べて左右方向の高さ寸法が大きな爪状をなすものであり、左払出しケース１３２の左側面に前サポート１６９を挟んで一体形成されている。
【００７６】
複数の前フック１７１のそれぞれの先端部は、図２６に示すように、後フック１７０の先端部に隙間を介して対向するものであり、前後方向に対向する後フック１７０の先端部および前フック１７１の先端部相互間には、図１８に示すように、隙間状の下チューブ挿入口１７２が形成されている。これら複数の下チューブ挿入口１７２のそれぞれの前後方向の幅寸法Ｗは、図２６に示すように、コルゲートチューブ１６４の外径寸法に比べて小さく設定されており、複数の後フック１７０の先端部および複数の前フック１７１の先端部のそれぞれはコルゲートチューブ１６４の外周面に係合することに基づいてコルゲートチューブ１６４が下チューブ挿入口１７２から左方へ外れることを防止している。このコルゲートチューブ１６４は後フック１７０の先端部および前フック１７１の先端部のそれぞれに左方から押付けられることに基づいて径方向に潰れるように弾性変形して下チューブ挿入口１７２から下チューブ収納部に挿入されるものであり、コルゲートチューブ１６４を下チューブ収納部内から左方へ引張ったときにはコルゲートチューブ１６４が径方向に潰れるように弾性変形することに基づいて下チューブ挿入口１７２から抜取られる。
【００７７】
メインセット１５の下枠１６には、図１９に示すように、スイッチ収納室１７３が形成されている。このスイッチ収納室１７３はケース挿入室１２０の右側壁に形成されたものであり、ケース挿入室１２０側の左側面が開口する凹状をなしている。このスイッチ収納室１７３内には下皿スイッチ１７４が固定されている。この下皿スイッチ１７４の左側面はケース挿入室１２０内に突出しないようにケース挿入室１２０の右側面と同一の平面上に配置されており、下皿スイッチ１７４は球払出しケース１３０をメインセット１５の開放状態でメインセット１５に対して垂直にケース挿入室１２０内に挿入する場合およびメインセット１５に対して垂直にケース挿入室１２０内から取出す場合のそれぞれで球払出しケース１３０の移動領域の外部に位置している。
【００７８】
下皿スイッチ１７４は下皿スイッチ１７４の検出領域内に遊技球が進入することに基づいて静電容量が変化する静電容量形の近接スイッチからなるものであり、図２０に示すように、右払出しケース１３１の右側面にアース板１３３より下方の非アース領域１３８内で対向している。この下皿スイッチ１７４の検出領域は右下皿通路１５７の内部空間および左下皿通路１５８の内部空間のそれぞれを左右方向に水平に貫通するものであり、右上皿通路１５５の出口および左上皿通路１５６の出口のそれぞれに比べて下方に設定され、右下皿通路１５７の出口および左下皿通路１５８の出口のそれぞれに比べて上方に設定されている。
【００７９】
下皿スイッチ１７４は検出領域内に遊技球が存在していない通常状態でＬｏレベルの検出信号を出力するものであり、下皿１１内から遊技球が溢れて右下皿通路１５７内の検出領域まで充填または左下皿通路１５８内の検出領域まで充填された下皿満杯状態では検出領域内に遊技球が存在することを球払出しケース１３０の外部から非接触状態で検出してＨｉレベルの検出信号を出力する。この下皿スイッチ１７４の配線は基板ボックス１８内のプリント配線基板に電気的および機械的に接続され、プリント配線基板の配線パターンを介して賞球制御回路に電気的に接続されており、賞球制御回路は下皿スイッチ１７４の検出信号がＬｏレベルからＨｉレベルに変化したことを基準に予め決められた一定時間（例えば１．０秒）が経過しても下皿スイッチ１７４の検出信号がＨｉレベルに維持されている場合には下皿満杯状態であると判断し、下皿満杯フラグをオン状態にセットする。この下皿満杯フラグは下皿スイッチ１７４の検出信号がＨｉレベルからＬｏレベルに変化することに基づいてオフ状態にリセットされるものであり、賞球制御回路は下皿満杯フラグのオン状態でメイン制御回路からの賞球コマンドを受信したときには払出しモータ５８を駆動せず、下皿満杯フラグがオン状態からオフ状態にリセットされることを待って払出しモータ５８を駆動する。即ち、下皿満杯状態で遊技球が複数の入賞口のそれぞれに入賞したときにはスクリューベース７３の前払出し中継通路８０および後払出し中継通路８１のそれぞれから球払出しケース１３０に遊技球が放出されず、下皿満杯状態が解消されることに基づいてスクリューベース７３の前払出し中継通路８０および後払出し中継通路８１のそれぞれから球払出しケース１３０に遊技球が放出される。
【００８０】
上記実施例１によれば次の効果を奏する。
遊技球が入賞口に入賞した場合には払出しモータ５８が運転される。この払出しモータ５８の運転状態ではスクリューベース７３の前払出し中継通路８０の出口および後払出し中継通路８１の出口のそれぞれから遊技球が下方に向けて一列で放出され、遊技球が前後方向に２列で球払出しケース１３０内に進入する。この前払出し中継通路８０の出口から一列で放出された遊技球は球払出しケース１３０の右払出し通路１５１を通して右払出し室１５３内に一列で供給され、後払出し中継通路８１の出口から一列で放出された遊技球は球払出しケース１３０の左払出し通路１５２を通して左払出し室１５４内に一列で供給される。上皿８内から遊技球が溢れていない場合には右払出し室１５３内の遊技球が右上皿通路１５５を通して上皿８内に一列で供給され、左払出し室１５４内の遊技球が左上皿通路１５６を通して上皿８内に一列で供給される。このため、上皿８内から遊技球が溢れていない非満杯状態で遊技球が入賞口に入賞した場合には球タンク２５の底板２９に沿って前後方向に２列で転動する遊技球が上皿８内に賞品として左右方向に２列で供給される。上皿８内から遊技球が溢れている場合には右払出し室１５３内の遊技球が右上皿通路１５５の入口に進入することができず、左払出し室１５４内の遊技球が左上皿通路１５６の入口に進入することができない。この場合には右払出し室１５３内の遊技球が右下皿通路１５７を通して下皿１１内に供給され、左払出し室１５４内の遊技球が左下皿通路１５８を通して下皿１１内に供給される。このため、上皿８内から遊技球が溢れた満杯状態で遊技球が入賞口に入賞した場合には球タンク２５の底板２９に沿って前後方向に２列で転動する遊技球が下皿１１内に賞品として左右方向に２列で供給される。
【００８１】
アースプレート４５が前進位置から後退位置に移動操作されたときにはスクリューベース７３の前球抜き中継通路８２および後球抜き中継通路８３のそれぞれが開放される。このアースプレート４５の後退位置ではスクリューベース７３の前球抜き中継通路８２の出口および後球抜き中継通路８３の出口のそれぞれから遊技球が一列で放出され、球払出しケース１３０内に遊技球が前後方向に２列で進入する。前球抜き中継通路８２の出口から放出された遊技球は球払出しケース１３０の右球抜き通路１３９に沿って落下することで球払出しケース１３０の外部に一列で抜取られ、後球抜き中継通路８３の出口から放出された遊技球は球払出しケース１３０の左球抜き通路１４５に沿って落下することで球払出しケース１３０の外部に一列で抜取られる。このため、アースプレート４５が前進位置から後退位置に移動操作されたときには球タンク２５の底板２９に沿って前後方向に２列で転動する遊技球が球払出しケース１３０の外部に左右方向に２列で抜取られる。
【００８２】
払出しモータ５８およびスクリューベース７３のそれぞれを次の手順でメンテナンスすることができるので、払出しモータ５８およびスクリューベース７３のそれぞれのメンテナンスが簡単になる。
１）メインセット１５のストッパをロック状態からロック解除状態に回動操作し、メインセット１５をロック解除する。
２）球止め部材１００の操作部１０３を押圧し、球止め部材１００を初期位置から球止め位置にスライド操作することに基づいて遊技球が前整列路４１内および後整列路４２内のそれぞれから機構部ケース３５の転動室１１０内に転動することを禁止する。
３）上方から機構部カバー６７の両貫通孔７０のそれぞれを通して機構部ケース３５内に工具を挿入する。この工具を用いて両ネジ７２のそれぞれを取外し、払出しモータ５８と機構部カバー６７とスクリューベース７３のそれぞれをモータ受け６４から取外す。
４）コルゲートチューブ１６４の上半部を上チューブ挿入口１６７に向けて引張り、コルゲートチューブ１６４の上半部を複数の右フック１６５のそれぞれの先端部および複数の左フック１６６のそれぞれの先端部に球払出しケース１３０側から押付けることに基づいて径方向に潰れるように弾性変形させ、上チューブ挿入口１６７を通して上チューブ収納部内から取外す。
５）コルゲートチューブ１６４の下半部を下チューブ挿入口１７２に向けて引張り、コルゲートチューブ１６４の下半部を複数の後フック１７０のそれぞれの先端部および複数の前フック１７１のそれぞれの先端部に左払出しケース１３２側から押付けることに基づいて径方向に潰れるように弾性変形させ、下チューブ挿入口１７２を通して下チューブ収納部内から取外す。
６）機構カバー６７を機構部ケース３５から取外し、機構部ケース３５の上面を開放する。この機構部ケース３５の上面の開放状態で抜取り口７４内に手指を挿入し、機構部ケース３５内の払出しモータ５８を手指で摘まんで機構部ケース３５の上面から抜取る。
７）メインセット１５の開放状態で球払出しケース１３０をメインセット１５に対して垂直方向に操作し、球払出しケース１３０の下端部をケース挿入室１２０の前面を通してケース挿入室１２０内から抜取り、機構部ケース３５の下面を開放する。
８）球タンク２５の左ボス部５０からネジ７７を取外し、スクリューベース７３を球タンク２５から取外す。このネジ７７の取外し状態でスクリューベース７３を機構部ケース３５の下面から抜取る。
９）払出しモータ５８およびスクリューベース７３のそれぞれをメンテナンスし、払出しモータ５８を機構部ケース３５の上面から機構部ケース３５の内部に戻し、スクリューベース７３を機構部ケース３５の下面から機構部ケース３５内に戻す。
１０）機構部ケース３５の上面に機構部カバー６７を被せる。この機構部カバー６７の両貫通孔７０のそれぞれを通して機構部ケース３５内に工具を挿入し、機構部カバー６７の両取付片７１から払出しモータ５８の取付片６０およびモータ受け６４の貫通孔６５のそれぞれを通してスクリューベース７３にネジ７２を螺合し、機構部カバー６７と払出しモータ５８とスクリューベース７３のそれぞれをモータ受け６４に固定する。
１１）スクリューベース７３の取付片７５を通して球タンク２５の左ボス部５０にネジ７７を螺合し、スクリューベース７３を球タンク２５に固定する。
１２）メインセット１５の開放状態で球払出しケース１３０をメインセット１５に対して垂直方向に操作し、球払出しケース１３０の下端部をケース挿入室１２０の前面を通してケース挿入室１２０内に挿入し、メインセット１５を開放状態から閉鎖状態に回動操作する。
１３）コルゲートチューブ１６４の上半部を上チューブ挿入口１６７に向けて押込み、コルゲートチューブ１６４の上半部を複数の右フック１６５のそれぞれの先端部および複数の左フック１６６のそれぞれの先端部に球払出しケース１３０とは反対側から押付けることに基づいて径方向に潰れるように弾性変形させ、上チューブ挿入口１６７を通して上チューブ収納部内に戻す。
１４）コルゲートチューブ１６４の下半部を下チューブ挿入口１７２に向けて押込み、コルゲートチューブ１６４の下半部を複数の後フック１７０のそれぞれの先端部および複数の前フック１７１のそれぞれの先端部に左払出しケース１３２とは反対側から押付けることに基づいて径方向に潰れるように弾性変形させ、下チューブ挿入口１７２を通して下チューブ収納部内に戻す。
１５）メインセット１５のストッパをロック解除状態からロック位置に回動操作し、メインセット１５を閉鎖状態にロックする。
【００８３】
下皿スイッチ１７４を球払出しケース１３０の外部に配置し、球払出しケース１３０の右下皿通路１５７内および左下皿通路１５８内のそれぞれの予め決められた領域内に遊技球が存在することを球払出しケース１３０の壁面を介して外部から検出した。このため、払出しモータ５８およびスクリューベース７３のそれぞれのメンテナンスに際して球払出しケース１３０を下枠１６のケース挿入室１２０内から抜取る場合に下皿スイッチ１７４の配線を基板ボックス１８内のプリント配線基板から取外す必要がなくなる。しかも、下皿スイッチ１７４を下枠１６のセンサ収納室１７３内に収納し、下皿スイッチ１７４がケース挿入室１２０の内部に出張ることを防止したので、球払出しケース１３０をケース挿入室１２０内に対して着脱する場合の球払出しケース１３０の移動領域の外部に下皿スイッチ１７４が配置される。このため、球払出しケース１３０を下皿スイッチ１７４に邪魔されることなくケース挿入室１２０内に対して簡単に着脱することができるので、球払出しケース１３０を下枠１６に対して着脱する場合の作業性が高まる。
【００８４】
コルゲートチューブ１６４を右フック１６５の先端部および左フック１６６の先端部のそれぞれに球払出しケース１３０側に向けて押付けることに基づいて径方向に潰れるように弾性変形させ、球払出しケース１３０とは反対側に向けて押付けることに基づいて径方向に潰れるように弾性変形させた。このため、球払出しモータ５８およびスクリューベース７３のそれぞれをメンテナンスする場合にコルゲートチューブ１６４の上半部を上チューブ挿入口１６７に向けて引張ることで上チューブ収納部内から取外すことができ、コルゲートチューブ１６４の上半部を上チューブ挿入口１６７に向けて押込むことで上チューブ収納部内に戻すことができるので、球払出し装置の複数の配線を球払出しケース１３０に束状に着脱可能に固定する配線止め具が不要になる。しかも、球払出しケース１３０を右払出しケース１３１および左払出しケース１３２に分割し、右フック１６５を右払出しケース１３１に一体成形し、左フック１６６を左払出しケース１３２に一体成形した。このため、右フック１６５および左フック１６６の双方を右払出しケース１３１に一体成形する場合および左払出しケース１３２に一体成形する場合のそれぞれに比べて右フック１６５および左フック１６６のそれぞれの形状の自由度が高まるので、右フック１６５および左フック１６６のそれぞれがコルゲートチューブ１６４の挿入状態でコルゲートチューブ１６４の外周面に確実に係合するように上チューブ挿入口１６７の幅寸法を小さく設定することができる。
【００８５】
上記実施例１においては、右払出しケース１３１内で右球抜き通路１３９の位置および左球抜き通路１４５の上通路１４０の位置を相互に交換し、スクリューベース７３の前球抜き中継通路８２の出口を左球抜き通路１４５の上通路１４０の入口に接続し、スクリューベース７３の後球抜き中継通路８３の出口を右球抜き通路１３９の入口に接続しても良い。
【００８６】
上記実施例１においては、左払出しケース１３２内で右払出し通路１５１の上通路１４６の位置および左払出し通路１５２の位置を相互に交換し、スクリューベース７３の前払出し中継通路８０の出口を左払出し通路１５２の入口に接続し、スクリューベース７３の後払出し中継通路８１の出口を右払出し通路１５１の上通路１４６の入口に接続しても良い。
【００８７】
上記実施例１においては、スクリューベース７３をモータ受け６４に払出しモータ５８用とは異なる複数のネジを介して固定しても良い。この場合、複数のネジのそれぞれを上方からスクリューベース７３を通してモータ受け６４に螺合または下方からスクリューベース７３を通してモータ受け６４に螺合すると良い。
【００８８】
上記実施例１においては、下枠１６のケース挿入室１２０の後壁面にスイッチ収納室１７３を形成し、下皿スイッチ１７４をスイッチ収納室１７３内に収納することでケース挿入室１２０内に出張ることを防止しても良い。
【００８９】
上記実施例１においては、下皿スイッチ１７４として反射形または透過形の光電センサを用いても良い。
【図面の簡単な説明】
【００９０】
【図１】実施例１を示す図（パチンコ遊技機を前方から示す図）
【図２】内枠をタンクユニットの装着状態で斜め前方から示す斜視図
【図３】内枠をタンクユニットの装着状態で示す図（ａはＸａ視図、ｂはＸｂ視図、ｃはＸｃ視図）
【図４】タンクユニットをアースプレートおよび払出しモータの取外し状態で示す図（ａはＸａ視図、ｂはＸｂ視図、ｃはＸｃ線に沿う断面図）
【図５】タンクユニットをアースプレートおよび払出しモータの取外し状態で斜め上方から示す斜視図
【図６】図４のＸ６線に沿う図
【図７】タンクユニットをアースプレートおよび払出しモータの装着状態で示す図（ａはＸａ視図、ｂはＸｂ線に沿う断面図、ｃはＸｃ線に沿う断面図）
【図８】アースプレートと払出しモータとスクリューベースを斜め上方から示す斜視図
【図９】（ａ）はタンクユニットをアースプレートおよび払出しモータの装着状態で斜め下方から示す斜視図、（ｂ）はＸｂ線に沿う断面図
【図１０】タンクユニットをアースプレートおよび払出しモータの装着状態で斜め上方から示す斜視図
【図１１】払出しモータの動作原理を示す図
【図１２】タンクユニットをアースプレートおよび払出しモータの装着状態で示す図（ａはＸａ視図、ｂはＸｂ視図、ｃはＸｃ線に沿う断面図、ｄはＸｄ部を拡大して示す図）
【図１３】球均しベースを斜め上方から示す斜視図
【図１４】メインセットの下枠を球払出しケースの装着状態で後方から示す図
【図１５】メインセットの下枠を斜め上方から示す斜視図
【図１６】メインセットの下枠を示す図（ａはＸａ視図、ｂはＸｂ視図、ｃはＸｃ視図）
【図１７】メインセットの下枠を球払出しケースの装着状態で斜め上方から示す斜視図
【図１８】メインセットの下枠を球払出しケースの装着状態で示す図（ａはＸａ視図、ｂはＸｂ視図、ｃはＸｃ視図）
【図１９】図１８のＸ線に沿う断面図
【図２０】球払出しケースを斜め右方から示す斜視図
【図２１】右払出しケースと左払出しケースとアース板を斜め右方から示す斜視図
【図２２】右払出しケースを示す図（ａはＸａ視図、ｂはＸｂ視図）
【図２３】左払出しケースを示す図（ａはＸａ視図、ｂはＸｂ視図）
【図２４】アース板を示す図（ａはＸａ視図、ｂはＸｂ視図）
【図２５】球払出しケースを示す図（ａはＸａ視図、ｂはＸｂ視図）
【図２６】球払出しケースの内部構成を示す断面図（ａは図２５のＡ線に沿う断面図、ｂは図２５のＢ線に沿う断面図、ｃは図２５のＣ線に沿う断面図、ｄは図２５のＤ線に沿う断面図）
【図２７】球払出しケースの内部構成を示す断面図（ａは図２５のＸａ線に沿う断面図、ｂは図２５のＸｂ線に沿う断面図）
【符号の説明】
【００９１】
８は上皿（第１の球受け皿）、１１は下皿（第２の球受け皿）、１６は下枠（支持枠）、１２０はケース挿入室、１２１は球払出し装置、１３０は球払出しケース、１５３は右払出し室（球払出し室）、１５４は左払出し室（球払出し室）、１５５は右上皿通路（第１の球受け皿通路）、１５６は左上皿通路（第１の球受け皿通路）、１５７は右下皿通路（第２の球受け皿通路）、１５８は左下皿通路（第２の球受け皿通路）、１７３はスイッチ収納室（センサ収納室）、１７４は下皿スイッチ（球センサ）を示す。  
【図１】
0005125730.tif 000002
【図２】
0005125730.tif 000003
【図３】
0005125730.tif 000004
【図４】
0005125730.tif 000005
【図５】
0005125730.tif 000006
【図６】
0005125730.tif 000007
【図７】
0005125730.tif 000008
【図８】
0005125730.tif 000009
【図９】
0005125730.tif 000010
【図１０】
0005125730.tif 000011
【図１１】
0005125730.tif 000012
【図１２】
0005125730.tif 000013
【図１３】
0005125730.tif 000014
【図１４】
0005125730.tif 000015
【図１５】
0005125730.tif 000016
【図１６】
0005125730.tif 000017
【図１７】
0005125730.tif 000018
【図１８】
0005125730.tif 000019
【図１９】
0005125730.tif 000020
【図２０】
0005125730.tif 000021
【図２１】
0005125730.tif 000022
【図２２】
0005125730.tif 000023
【図２３】
0005125730.tif 000024
【図２４】
0005125730.tif 000025
【図２５】
0005125730.tif 000026
【図２６】
0005125730.tif 000027
【図２７】
0005125730.tif 000028